(57)【特許請求の範囲】
【請求項１】
上端部にステム（４）を上方付勢状態に突出させたエアゾール式容器である容器本体（１）と、付設の嘴状の注出路（６）の基部筒片（５）を該ステム（４）に嵌着させたノズルヘッド（３）と、当該ノズルヘッド（３）を昇降自在および回動自在に組み込みする該容器本体（１）の上端部に組付く合成樹脂製の組付き体（２）とから構成され、適正位置でのみノズルヘッド（３）押し下げでの液体噴出を可能とするエアゾール式容器において、ノズルヘッド（３）をその側周壁が組付き体（２）上端より露呈するように組み込みするものとし、組付き体（２）とノズルヘッド（３）との間にはノズルヘッド（３）抜け止め機構を配設し、ノズルヘッド（３）にあっては、その周端部から複数の脚片（１２）を垂設すると共に、該脚片（１２）の下端部にテーパー面（１３）を形成して乗上げ部（１１）を構成し、組付き体（２）にあっては、組付き体（２）の脚片（１２）に対向する箇所に開口部（１５）を開設した平坦板（１４）を配設の係合部（１０）を設け、組付き体（２）に対するノズルヘッド（３）のロック方向への回動に伴う係合部（１０）への乗り上げにより、ノズルヘッドの下動を不能とし、かつ、解ロック方向への回動に伴う脚片（１２）と開口部（１５）との一致位置でヘッドの下動を可能とし、平坦板（１４）の中央開口部の上面周縁部に該筒片（５）を嵌挿する一部に切欠き（２１）を形成した短円筒形状の規制筒（２０）を立設し、平坦板（１４）の中央開口部に下端部を嵌入させることにより、この規制筒（２０）内に嵌入する状態となる筒片（５）の切欠き（２１）に対向する箇所には、切欠き（２１）を設けることにより形成された規制筒（２０）の端縁に周方向から対向する突出高さで突片（１９）を径方向に突設し、突片（１９）の規制筒（２０）の端縁に対する突き当たりにより、組付き体（２）に対するノズルヘッド（３）の回動変位限を設定し、切欠き（２１）とは略反対側となった規制筒（２０）の外周面部分に径方向に延出した縦薄平板状の肉薄片（２２）を立設し、この肉薄片（２２）に対向位置する脚片（１２）の内側面に、延出端部を肉薄片（２２）の延出端部に周方向から対向させた縦平板状の弾接片（２３）を立設し、この肉薄片（２２）と弾接片（２３）とは、ノズルヘッド（３）がロック位置とロック解位置との間を回動変位する途中で、相互にその延出端部を突き当て、継続するノズルヘッド（３）の回動により相互に弾性変形して乗り越え、この乗り越え時の勢いの良い弾性復帰動作の軽い衝撃により、パチンという軽い衝撃音と衝撃感が発生するものとし、筒片（５）とステム（４）との注出路（６）に係止用に段状に拡径を施した所定の遊び代確保の嵌着構成を、当該段状拡径部から所定長の密嵌部（２４）とし、次いでゆるやかに拡径して遊嵌部としたうえで終端のガイド用遊嵌部（２５）としたことを特徴とするエアゾール式容器。
【発明の詳細な説明】
【０００１】
【産業上の利用分野】
本発明は、エアゾール式容器、詳しくは使用勝手からノズルヘッド天端を指先で押圧し、ノズルヘッド側方から内容液を噴射させる方式のエアゾール式容器において、使用上の種々の便利性を備える。すなわち、ノズルヘッドにロック位置とロック解位置との所定の回動範囲が与えられて、不使用時の誤注出を避け得るとしたところの手当てが、誤ノズルヘッドの脱落のおそれがなく、かつ、該ノズルヘッドの回動操作が嘴状の噴射孔に手を触れることなくしてヘッド側面の把握操作でもって確実になし得、さらには容器から突出のステムがノズルヘッドと取り合う係嵌部である前記噴射孔基部の係止用段状拡径部に確保された不測の押圧衝撃、設計誤差、温度変形等の影響を緩衝吸収するための遊び間隙が無効化されることなく、不使用時の予期しない内容物の漏れを確実に防止することのできるとしたエアゾール式容器に関する。
【０００２】
【従来の技術】
いわゆるヘアースタイリングフォームやシェービングフォーム等は、通常、エアゾール式容器に収納されている。このエアゾール式容器は、容器本体と、当該容器本体に装備のステムに取り付けの合成樹脂製のノズルヘッドと該容器本体に該ノズルヘッドを組付けるための合成樹脂製の組付き体とから構成されているのが一般であり、叙上ノズルヘッドは、例えば実公平３−４４２９７号公報におけるように、組付き体に回動自在に組み付けられると共に所定の回動位置にて例えばノズルヘッド側からの垂下脚と組付き体の該垂下脚降下阻止用の仕切フロアーに穿孔の該垂下脚の降下を許容する透孔の如くのノズルヘッド押圧機構を有し、当該透孔以外の位置の垂下脚が仕切フロアーに突き当たる回動位置をノズルヘッドの押圧を不能にするロック機構としている。
【０００３】
そして、嘴状に形成されるノズルヘッド内の途中で屈曲の注出路に充填の内容液に対しては注出路基部で密なシールを構成してバックアップしなければならず、これが不全であると容器本体上に垂れ流しとなってしまうので、叙上ノズルヘッドとステムとの取り合いは漏れのなきように所定長の密嵌合部が確保されるのが常である。
【０００４】
叙上の嵌合部においては該注出路基部は段状に拡径されていてここにステムが係嵌しておりノズルヘッドの降下でステム天端を係止押圧するものとされている。
【０００５】
なお、叙上係止部にあっては材料の寸法誤差、たわみ等でロック時にあっても誤ってステムに押圧力が作用しないよう所定の遊び代の確保はロック機構が受け持つ内容物の漏れ阻止上当然のこととされている。
【０００６】
【発明が解決しようとする課題】
しかしながら、叙上のエアゾール式容器にあっては、使用上の種々の不便が未解決のままである。すなわち、ノズルヘッドにロック位置とロック解位置との所定の回動範囲が与えられて、不使用時の誤注出を避け得るとしたところの構造において、ノズルヘッドの押し下げ能のみに配慮したために、上方への脱出（側方に突き出される噴出孔部の係止で起り得る）や、該ノズルヘッドが組付き体内に埋没態様に格納されてヘッド側面の指先での把握がなし得ない結果、肝心の回動操作の手掛りが、突出の嘴状の注出路部となり、指先が嘴先端に残留する収容液が汚れる不快、そして、ロック機構における内容物漏れ阻止機能が不確実なことである。
【０００７】
最後の漏れ阻止能不全の因は、ノズルヘッドとステムとの取り合い密嵌合部に残留する内容液による経時固化接着作用にあるものと解される。
【０００８】
すなわち、この部における緩衝能は、ノズルヘッドとステムとの間に摺動が働くことを前提とするが、この密嵌合部では、不可避の叙上残留によりノズルヘッドとステムとは経時接着現象を呈し互いに摺動不可におちいり、前述の誤作動解消用遊び代が無効化されることによる。
【０００９】
本発明は叙上の事情に鑑みなされたもので、その目的とするところは、ノズルヘッドにロック位置とロック解位置との所定の回動範囲が与えられて、不使用時の誤注出を避け得るとしたところの構造において、該ノズルヘッドの脱落のおそれがなく、かつ、該ノズルヘッドの回動操作が嘴状の噴射孔に手を触れることなくしてヘッド側面の抱握操作でもって確実になし得、さらには、噴射孔基部の係止用段状拡径部と上記容器に装備のステムとの嵌着部に確保された不測の押圧衝撃、設計誤差、温度変形等の影響を緩衝吸収するための遊び間隙が無効化されることのないノズルヘッド側方から内容液を噴射させる方式のエアゾール式容器を提供することにある。
【００１０】
【課題を解決するための手段】
上記目的を達成するために本発明のエアゾール式容器は、上端部にステム４を上方付勢状態に突出させたエアゾール式容器である容器本体１と、付設の嘴状の注出路６の基部筒片５を該ステム４に嵌着させたノズルヘッド３と、当該ノズルヘッド３を昇降自在および回動自在に組み込みする該容器本体１の上端部に組付く合成樹脂製の組付き体２とから構成され、適正位置でのみノズルヘッド３押し下げでの液体噴出を可能とするエアゾール式容器において、ノズルヘッド３をその側周壁が組付き体２上端より露呈するように組み込みするものとし、組付き体２とノズルヘッド３との間にはノズルヘッド３抜け止め機構を配設し、ノズルヘッド３にあっては、その周端部から複数の脚片１２を垂設すると共に、該脚片１２の下端部にテーパー面１３を形成して乗上げ部１１を構成し、組付き体２にあっては、組付き体２の脚片１２に対向する箇所に開口部１５を開設した平坦板１４を配設の係合部１０を設け、組付き体２に対するノズルヘッド３のロック方向への回動に伴う係合部１０への乗り上げにより、ノズルヘッドの下動を不能とし、かつ、解ロック方向への回動に伴う脚片１２と開口部１５との一致位置でヘッドの下動を可能とし、平坦板１４の中央開口部の上面周縁部に該筒片５を嵌挿する一部に切欠き２１を形成した短円筒形状の規制筒２０を立設し、平坦板１４の中央開口部に下端部を嵌入させることにより、この規制筒２０内に嵌入する状態となる筒片５の切欠き２１に対向する箇所には、切欠き２１を設けることにより形成された規制筒２０の端縁に周方向から対向する突出高さで突片１９を径方向に突設し、突片１９の規制筒２０の端縁に対する突き当たりにより、組付き体２に対するノズルヘッド３の回動変位限を設定し、切欠き２１とは略反対側となった規制筒２０の外周面部分に径方向に延出した縦薄平板状の肉薄片２２を立設し、この肉薄片２２に対向位置する脚片１２の内側面に、延出端部を肉薄片２２の延出端部に周方向から対向させた縦平板状の弾接片２３を立設し、この肉薄片２２と弾接片２３とは、ノズルヘッド３とロック位置とがロック解位置との間を回動変位する途中で、相互にその延出端部を突き当て、継続するノズルヘッド３の回動により相互に弾性変形して乗り越え、この乗り越え時の勢いの良い弾性復帰動作の軽い衝撃により、パチンという軽い衝撃音と衝撃感が発生するものとし、筒片５とステム４との注出路６に係止用に段状に拡径を施した所定の遊び代確保の嵌着構成を、当該段状拡径部から所定長の密嵌部２４とし、次いでゆるやかに拡径して遊嵌部としたうえで終端のガイド用遊嵌部２５としたものである。
【００１１】
【作用】
組付き体２とノズルヘッド３との嵌挿部に確保のノズルヘッド３抜け止め機構により、ノズルヘッドの脱落のおそれがない。ノズルヘッド３は組付き体２上端より高く位置される結果、ノズルヘッド側面の抱握操作でもってなし得る。
所定長確保のノズルヘッドとステムとの取り合い部は、密嵌部と遊嵌部とに分割された結果、密嵌部が大巾に短縮する。このため、残留液による接着度は低減し、ノズルヘッドとステム間の経時相互摺動不可の現象は解消する。しかし、不可欠の密嵌シールは維持される。
【００１２】
注出路基部下端開口部は遊嵌の組付けガイド部となっているうえに、これに続いて上記の遊嵌部が設けられているので、組み付けに手間取ることはなく、単に、下端開口部が拡がりに開口したのみのものでは得られない滑らかなガイド能を奏する。
【００１３】
【実施例】
以下、本発明の一実施例を、図面を参照しながら説明する。
ノズルヘッド３は、合成樹脂製の有頂円筒体の頂壁下面中央から細円筒形状をした筒片５を垂下設すると共に、有頂円筒体の筒壁１８の下端縁に、等間隔に４つの脚片１２を、筒壁１８の一部を下方に延長した形態で垂設し、この脚片１２の下端部にテーパー面１３を形成して乗り上げ部１１を構成している。
【００１４】
筒片５は、その内部を、筒壁１８の外周面上端部に出口を開口した注出路６の垂直路部分としており、この筒片５の内周面下端部には、拡径した段部が形成されていて、この段部面を押圧面７とすると共に、拡径した部分の口径を、容器本体１の上端部に突出したステム４の外径とほぼ等しくしている。この段状拡径部を、所定長の対ステム４密嵌部２４を経て更に拡径した開口に至るガイド用遊嵌部２５の２段拡径構成とした。
【００１５】
該組付き体２は、容器本体１の上端部に嵌め込みにより不動に組付く合成樹脂製の円筒形状体に成形されており、この円筒形状体の内部を上下に区画する形態で隔壁状に係合部１０を構成する平坦板１４が設けられている。この平坦板１４には、中央にステム４が下方から突出すると共に、組付けられたノズルヘッド３の筒片５が上方から嵌入できる開口部が開設されていると共に、周端部には、ノズルヘッド３の脚片１２に対向して、係合部１０を構成する４つの開口部１５が周方向に沿って等間隔に形成されている。
【００１６】
すなわち、ノズルヘッド３のロック解状態では、乗り上げ部１１の脚片１２の下端部が係合部１０の開口部１５に位置し、ノズルヘッド３は下降し得るので、筒片５の押圧面７は、ステム４の上端面である当接面８に当接し、この状態でノズルヘッド３に押し下げ力が作用すると、押圧面７が当接面８に押し付けられて密接触状態となったまま、ステム４が押し下げられ、内容物が注出される。
【００１７】
このロック解状態からノズルヘッド３を設定方向に回動させると、係合部１０の開口部１５の開口縁に対する乗り上げ部１１のテーパー面１３の乗り上げ動作により、乗り上げ部１１の脚片１２が係合部１０の平坦板１４上に乗り上がる。この乗り上げ部１１の係合部１０に対する乗り上がりにより、ノズルヘッド３は組付き体２に対して上昇変位し、筒片５の押圧面７とステム４の当接面８との間に、ノズルヘッド３および組付き体２に生じる撓み代よりも大きい値の間隙９（遊び代）を形成する。この態様は、図１に示されている。ノズルヘッド３に自ら昇動する能力は無く、押圧解除ではステム４の上方付勢によって押し上げられるのみであり、その後の上記のロック方向への回動による乗り上げ使用でもって、図１に示す間隙９確保の態様が実現する。
【００１８】
ノズルヘッド３の筒壁１８の外周面には、略対称に位置して一対の係止片１６（図１および図４参照）が突設されており、この係止片１６に対向して、組付き体２の周壁の内周面上端部に、係止片１６に上方から係止する周突条状の抜け止め部１７が形成されている。
【００１９】
この係止片１６の抜け止め部１７に対する係止により、組付き体２に対してノズルヘッド３は、回動自在ではあるが抜け出し不能に組付け保持されることになる。
【００２０】
平坦板１４の中央開口部の上面周縁部には、一部に切欠き２１を形成した短円筒形状の規制筒２０（図２参照）が立設されており、平坦板１４の中央開口部に下端部を嵌入させることにより、この規制筒２０内に嵌入する状態となる筒片５の切欠き２１に対向する箇所には、切欠き２１を設けることにより形成された規制筒２０の端縁に周方向から対向する突出高さで突片１９が、径方向に突設されており、突片１９の規制筒２０の端縁に対する突き当りにより、組付き体２に対するノズルヘッド３の回動変位限を限定している。
【００２１】
すなわち、乗り上げ部１１の脚片１２が係合部１０の開口部１５に嵌入した回動位置で、突片１９は規制筒２０の一方の端面に当接して、ノズルヘッド３のロック解位置を設定し、反対に、乗り上げ部１１の脚片１２が係合部１０の平坦板１４上に乗り上げた回動位置で、突片１９は規制筒２０の他方端面に当接して、ノズルヘッド３のロック位置を設定している。
【００２２】
切欠き２１とは略反対側となった規制筒２０の外周面部分には、径方向に延出した縦薄平板状の肉薄片２２（図１および図２参照）が立設されており、この肉薄片２２に対向位置する脚片１２の内側面に、延出端部を肉薄片２２の延出端部に周方向から対向させた縦平板状の弾接片２３（図１および図２参照）が立設されている。
【００２３】
この肉薄片２２と弾接片２３とは、ノズルヘッド３がロック位置とロック解位置との間を回動変位する途中で、相互にその延出端部を突き当て、継続するノズルヘッド３の回動により相互に弾性変形して乗り越え、この乗り越え時の勢いの良い弾性復帰動作の軽い衝撃により、パチンという軽い衝撃音と衝撃感が発生するので、使用者は、この衝撃音を聞くと共に衝撃感を触感することにより、ノズルヘッド３のロック状態を音および触感で知ることができ、これにより好ましい使用感を得ることができる。
【００２４】
なお、係合部１０および乗り上げ部１１は、図示実施例に示した構成に特定されるものではなく、例えば、突起状の係止片１６を乗り上げ部１１とし、抜け止め部１７を、この係止片１６が係合する溝構造として係合部１０とすることも可能である。
【００２５】
【発明の効果】
本発明は、上記した構成となっているので、下記する効果を奏する。
すなわち、従来品にあって未解決のノズルヘッドの不測の脱落が無く、ノズルヘッドのロック、ロック解の回動操作に際しての最も好適なノズルヘッド側面把握を可能とし、さらには、ノズルヘッドとステムの嵌着部に生じる摺動不全を解消して不測の漏れを解消した。これに加え、使用上好適なるロック、ロック解位置を衝撃音をもって知らせる機能をも兼備し、好便性優れるエアゾール式容易を提供する。
【図面の簡単な説明】
【図１】本発明の一実施例を示すもので、要部縦断面図。
【図２】図１中の、Ａ−Ａ線に沿って矢視した平断面図。
【図３】図１に示した異実施例におけるノズルヘッドの全体側面図。
【図４】図１に示した実施例におけるノズルヘッドの全体平面図。
【図５】図１に示した実施例における組付き体の半縦断した全体正面図。
【図６】図５に示した実施例における組付き体の全体平面図。
【符号の説明】
１  ；  容器本体
２  ；  組付き体
３  ；  ノズルヘッド
４  ；  ステム
５  ；  筒片
６  ；  注出路
７  ；  押圧面
８  ；  当接面
９  ；  間隙
１０  ；  係合部
１１  ；  乗り上げ部
１２  ；  脚片
１３  ；  テーパー面
１４  ；  平坦板
１５  ；  開口部
１６  ；  係止片
１７  ；  抜け止め部
１８  ；  筒壁
１９  ；  突片
２０  ；  規制筒
２１  ；  切欠き部
２２  ；  肉薄片
２３  ；  弾接片
２４  ；  ステム密嵌部
２５  ；  ガイド用遊嵌部
【図１】
0003539430.tif 000002
【図２】
0003539430.tif 000003
【図３】
0003539430.tif 000004
【図４】
0003539430.tif 000005
【図５】
0003539430.tif 000006
【図６】
0003539430.tif 000007